(57)【要約】【課題】比較敵簡単な構造で端子金具の抜け止めを実現することが可能なコネクタを提供する。【解決手段】コネクタは、キャビティ１３及びキャビティ１３内に撓み変形可能に突出するランス１５を有するハウジング１０と、ハウジング１０に前方から装着されるフロントリテーナ６０とを備える。ハウジング１０のキャビティ１３には端子金具５０が挿入され、ランス１５がランス受部５４を弾性的に係止することで、端子金具５０の後方への抜け出しが規制される。フロントリテーナ６０は、ランス１５の撓み動作を規制する撓み規制部７７と、ヒンジ部６８を中心とする開状態から閉状態への傾動変位によって側方から端子金具５０に近づいてリテーナ受部５５を係止し、端子金具５０を抜け止めするリテーナ部６９とを有する。【選択図】図２
2018190625.tif 000002
【特許請求の範囲】
【請求項１】
筒状の端子本体を有し、前記端子本体の周壁にランス受部が設けられ、前記端子本体の後端にリテーナ受部が設けられている端子金具と、
前記端子金具を後方から収容可能なキャビティを有するとともに、前記キャビティ内に撓み変形可能に突出して前記ランス受部を弾性的に係止し、前記端子金具の後方への抜け出しを規制するランスを有するハウジングと、
前記ハウジングに前方から装着され、前記ランスの撓み空間に進入して前記ランスの撓み動作を規制する撓み規制部を有するとともに、ヒンジ部を中心とする開状態から閉状態への傾動変位によって前後方向と交差する側方から前記端子金具に近づいて前記リテーナ受部を係止し、前記端子金具を抜け止めするリテーナ部を有するフロントリテーナとを備えることを特徴とするコネクタ。
【請求項２】
前記ハウジングは、前記キャビティを有し、前記フロントリテーナが装着されるインナハウジングと、前記インナハウジングとは別体であって前記インナハウジングの外周側に位置し、嵌合相手である相手ハウジングを嵌合状態に保持可能なロックアームを有するアウタハウジングとからなり、
前記インナハウジングには、外面から前記キャビティにかけて貫通し、前記リテーナ部の係止本体の進入を許容する進入口が設けられ、且つ、前記進入口の後方に、前記インナハウジングと前記相手ハウジングとの間に液密に挟まれるシールリングが嵌着されている請求項１記載のコネクタ。
【請求項３】
前記リテーナ部は、前記撓み規制部の位置する側と同じ側に設けられ、前記開状態で撓み変形した前記ランスと対向可能に配置される請求項１又は２記載のコネクタ。
【請求項４】
前記撓み規制部が前記ヒンジ部よりも厚肉に形成されている請求項３記載のコネクタ。
【請求項５】
前記リテーナ部は、係止本体の両側面にロック部を有し、前記閉状態で前記ロック部が前記フロントリテーナの両側壁に設けられたロック受部を係止する請求項１ないし３のいずれか１項記載のコネクタ。
【請求項６】
前記ハウジングには、嵌合相手である相手ハウジングとの間に液密に挟まれるシールリングが嵌着され、前記リテーナ部は、前記閉状態で前記シールリングの前端に当接可能に配置される請求項１ないし５のいずれか１項記載のコネクタ。
【発明の詳細な説明】
【技術分野】
【０００１】
本発明は、コネクタに関する。
【背景技術】
【０００２】
特許文献１に開示のコネクタは、端子金具を収容可能なキャビティを有するコネクタハウジングを備えている。コネクタハウジングにはヒンジを介して傾動可能なリテーナが一体に設けられている。コネクタハウジングのキャビティの内壁には、撓み可能なランスが突出して設けられている。端子金具は、筒状の接続部を有し、特許文献１に記載はないが、接続部の周壁にランス受部が開口して設けられ、接続部の後端がリテーナ受部として構成されている。端子金具がキャビティに挿入されると、ランスがランス受部を弾性的に係止し、端子金具のキャビティから後方への抜け出しが規制される。さらに、リテーナがコネクタハウジングの進入口を閉じる閉状態になると、リテーナの係止部が接続部の後端縁部を係止し、端子金具が抜け止めされるようになっている。
【先行技術文献】
【特許文献】
【０００３】
【特許文献１】特開２００２−１８４５０６号公報
【発明の概要】
【発明が解決しようとする課題】
【０００４】
ところで、例えば、コネクタが小型になると、ランスも小型になって端子金具に対する保持力が低下することなる。このため、ランスの撓み動作を抑える係止構造の新設を求められることがある。さらに、コネクタが小型になり、ハウジングの構造が複雑になると、ハウジングにリテーナを一体に設けることができないという事情もある。
【０００５】
本発明は上記のような事情に基づいて完成されたものであって、比較敵簡単な構造で端子金具の抜け止めを実現することが可能なコネクタを提供することを目的とする。
【課題を解決するための手段】
【０００６】
本発明のコネクタは、筒状の端子本体を有し、前記端子本体の周壁にランス受部が設けられ、前記端子本体の後端にリテーナ受部が設けられている端子金具と、前記端子金具を後方から収容可能なキャビティを有するとともに、前記キャビティ内に撓み可能に突出して前記ランス受部を弾性的に係止し、前記端子金具の後方への抜け出しを規制するランスを有するハウジングと、前記ハウジングに前方から装着され、前記ランスの撓み空間に進入して前記ランスの撓み動作を規制する撓み規制部を有するとともに、ヒンジ部を中心とする開状態から閉状態への傾動変位によって前後方向と交差する側方から前記端子金具に近づいて前記リテーナ受部を係止し、前記端子金具を抜け止めするリテーナ部を有するフロントリテーナとを備えるところに特徴を有する。
【発明の効果】
【０００７】
フロントリテーナがランスの撓み動作を規制する撓み規制部を有するのに加え、リテーナ部を有し、リテーナ部がヒンジ部を中心として開状態から閉状態へと傾動することによって側方からリテーナ受部を係止し、端子金具を抜け止めするため、端子金具の後方への抜け出しを確実に防止することができる。また、フロントリテーナとは別にサイドリテーナなどの専用のリテーナ部材を設けなくて済むから、部品点数を削減することができる。さらに、フロントリテーナにリテーナ部が設けられているため、ハウジングの構造が複雑になるのを防止することができる。
【図面の簡単な説明】
【０００８】
【図１】本発明の実施例１において、フロントリテーナがハウジングに対し仮係止位置に保持され、リテーナ部が開状態にあるときの側面視方向の断面図である。
【図２】フロントリテーナがハウジングに対し本係止位置に保持され、リテーナ部が閉状態にあるときの側面視方向の断面図である。
【図３】フロントリテーナがハウジングに対し本係止位置に保持され、リテーナ部が閉状態にあるときの正面視方向の断面図である。
【図４】フロントリテーナがハウジングに対し仮係止位置に保持され、リテーナ部が開状態にあるときの側面図である。
【図５】フロントリテーナがハウジングに対し仮係止位置に保持され、リテーナ部が開状態にあるときの底面図である。
【図６】フロントリテーナがハウジングに対し仮係止位置に保持され、リテーナ部が開状態にあるときの正面図である。
【図７】インナハウジングの側面図である。
【図８】インナハウジングの底面図である。
【図９】インナハウジングの正面図である。
【図１０】アウタハウジングの正面図である。
【図１１】アウタハウジングの側面視方向の断面図である。
【図１２】リテーナ部が開状態にあるフロントリテーナの側面図である。
【図１３】リテーナ部が開状態にあるフロントリテーナの背面図である。
【図１４】リテーナ部が開状態にあるフロントリテーナの底面図である。
【発明を実施するための形態】
【０００９】
本発明の好ましい形態を以下に示す。
前記ハウジングは、前記キャビティを有し、前記フロントリテーナが装着されるインナハウジングと、前記インナハウジングとは別体であって前記インナハウジングの外周側に位置し、嵌合相手である相手ハウジングを嵌合状態に保持可能なロックアームを有するアウタハウジングとからなり、前記インナハウジングには、外面から前記キャビティにかけて貫通し、前記リテーナ部の係止本体の進入を許容する進入口が設けられ、且つ、前記進入口の後方に、前記インナハウジングと前記相手ハウジングとの間に液密に挟まれるシールリングが嵌着されているとよい。インナハウジングは、ロックアームを有するアウタハウジングとは別体であることから、比較的簡単な構造にすることができ、小型化に対応することができる。一方、インナハウジングは進入口の後方にシールリングが嵌着される構造であるため、一体のリテーナ部を設けるだけのスペース的な余裕はないことから、フロントリテーナにリテーナ部を設けることのメリットが大きい。
【００１０】
前記リテーナ部は、前記撓み規制部の位置する側と同じ側に設けられ、前記開状態で撓み変形した前記ランスと対向可能に配置されるとよい。仮に、端子金具がキャビティに正規挿入されない状態（半挿入状態）で留め置かれると、ランスが撓み変形したままの状態となる。この場合、従来のフロントリテーナであれば、撓み規制部がランスと干渉することで、ランスが撓み変形した状態にあることを検知することができるが、撓み規制部がランスに強く干渉することによって、ランスが折損、破損するおそれもある。その点、上記構成によれば、撓み規制部に先立って、開状態のリテーナ部が撓み変形したランスと軽く干渉することができるため、ランスが撓み変形した状態にあることを早い段階で良好に検知することができる。
【００１１】
前記撓み規制部が前記ヒンジ部よりも厚肉に形成されているとよい。これによれば、撓み規制部が自身の強度を確保することができるのに加え、ヒンジ部の撓み強度を補強することができる。
【００１２】
前記リテーナ部は、係止本体の両側面にロック部を有し、前記閉状態で前記ロック部が前記フロントリテーナの両側壁に設けられたロック受部を係止するとよい。これによれば、リテーナ部が閉状態を安定に維持することができる。
【００１３】
前記ハウジングには、嵌合相手である相手ハウジングとの間に液密に挟まれるシールリングが嵌着され、前記リテーナ部は、前記閉状態で前記シールリングの前端に当接可能に配置されるとよい。これによれば、シールリングの前方への抜け出しがリテーナ部によって抑えられる。
【００１４】
＜実施例１＞
以下、本発明の実施例１を図１〜図１４によって説明する。本実施例１のコネクタは、相手ハウジング９０に嵌合可能なハウジング１０と、ハウジング１０に装着されるフロントリテーナ６０と、ハウジング１０に収容される端子金具５０とを備えている。なお、以下の説明において、前後方向は、ハウジング１０が相手ハウジング９０に嵌合される面側を前側とし、上下方向は、図５、図８及び図１４を除く各図を基準とする。
【００１５】
相手ハウジング９０は合成樹脂製であって、図２に示すように、筒状のフード部９１を有している。フード部９１の奥壁には、相手端子金具９２の雄タブ９３が圧入又はインサートにより装着されている。相手端子金具９２は、端子金具５０と対応する位置に複数（詳細は２つであるが、１つのみ図示）設けられ、雄タブ９３は、フード部９１内に突出して配置される。フード部９１の上壁外面には、爪状の相手ロック部９４が突出して設けられている。
【００１６】
ハウジング１０は合成樹脂製であって、前後方向に長い略ブロック状のインナハウジング１１と、インナハウジング１１とは別体であって、インナハウジング１１の外周側に配置される筒状のアウタハウジング１２とからなる。
【００１７】
図８及び図９に示すように、インナハウジング１１には、複数（図示する場合は２室）のキャビティ１３が前後方向に貫通して設けられている。図１に示すように、キャビティ１３には、後方から端子金具５０が挿入される。図７〜図９に示すように、インナハウジング１１の前側下部には、下面から前面にまたがって切欠状に開口するとともに、各キャビティ１３に連通する開口部１４が設けられている。
【００１８】
また、インナハウジング１１は、各キャビティ１３の下壁から開口部１４に向けて片持ち状に突出する撓み可能なランス１５を有している。各ランス１５は、開口部１４に露出して配置され、前端（自由端）へ向けて徐々に上傾してキャビティ１３内に突出する形態とされている。図９に示すように、各ランス１５の上部１６は、下部１７よりも左右幅が小さく、下部１７の左右中央から一側へ偏心した位置に連設されている。なお、開口部１４は、ランス１５の撓み空間を含む部分である。
【００１９】
図７及び図８に示すように、インナハウジング１１の下部には、下面から両側面にまたがって開口するとともに、各キャビティ１３に連通する進入口１８が設けられている。進入口１８は、各ランス１５及び開口部１４の後方に位置し、前後幅が一定に形成されている。各キャビティ１３間を仕切る隔壁部分は、進入口１８と対応する位置にて部分的に切欠されている。また、インナハウジング１１の外面には、進入口１８の後方に、シール溝１９が凹設されている。シール溝１９は、前後の開口幅を略一定にしてインナハウジング１１の外面に全周にわたって形成されている。図１に示すように、インナハウジング１１のシール溝１９には、環状のシールリング２０が嵌着して保持される。
【００２０】
インナハウジング１１の外面のうち、進入口１８とシール溝１９との間には、鍔部２１が設けられている。鍔部２１の前面は、上下方向にほぼ沿って配置され、図９に示すように、左右両側に、上下方向にほぼ沿ったスリット孔状のガイド受部２２を有している。鍔部２１の下端部は、シール溝１９の前端を区画せず、切欠状に開放されている。
【００２１】
図７に示すように、インナハウジング１１の外面のうち、後部の上下面には、一対の固定受部２３が凹設されている。図８に示すように、固定受部２３は、左右方向に延出する浅底の溝形状をなしている。
【００２２】
また、図１に示すように、インナハウジング１１の後面には、同後面に開口する凹状の収容凹部２４が設けられている。各キャビティ１３の後端は、収容凹部２４の奥面に開口している。収容凹部２４には後方からシール部材２５が挿入される。
【００２３】
シール部材２５は、後述する電線１００が液密に挿通される複数のシール孔２６を有する一括型のゴム栓であって、外面が収容凹部２４の内面に全周にわたって密着する。図１に示すように、シール部材２５は、収容凹部２４の前部に密嵌され、収容凹部２４の後部に挿入されるアウタハウジング１２の後述する押さえ部２７によって抜け止めされる。
【００２４】
端子金具５０は導電性の金属板を曲げ加工などして一体に成形され、図１に示すように、全体として前後方向に細長い形状になっている。この端子金具５０は、前後方向に貫通する略角筒状の端子本体５１と、端子本体５１の後方に連成されるワイヤバレル５２と、ワイヤバレル５２の後方に連成されるインシュレーションバレル５３とを有している。ワイヤバレル５２は、電線１００の端末部において被覆１１０の除去により露出する芯線部１２０に圧着により接続され、インシュレーションバレル５３は、電線１００の端末部における被覆１１０に圧着により接続される。端子本体５１の内部には、図示しない弾性接触片が撓み変形可能に設けられている。図２に示すように、両ハウジング１０、９０の正規嵌合時に、端子本体５１に相手端子金具９２の雄タブ９３が挿入されて弾性接触片と接触することにより、両端子金具５０、９２が電気的に接続されるようになっている。
【００２５】
端子本体５１の周壁下部には、ランス受部５４が開口して設けられている。ランス受部５４にはランス１５の上部１６が進入して係止可能とされている。端子本体５１の後端には、上下方向にほぼ沿って切り立つリテーナ受部５５が設けられている。リテーナ受部５５には、フロントリテーナ６０の後述するリテーナ部６９の係止本体７３が係止可能とされている。
【００２６】
図１０及び図１１に示すように、アウタハウジング１２は、ブロック状の押さえ部２７と、押さえ部２７の外周側に配置される筒状の外筒部２８と、外筒部２８と押さえ部２７とをつなぐ径方向に沿った繋ぎ部２９とを有している。押さえ部２７は、繋ぎ部２９との連結部位よりも前方に突出する突入部３１を有している。図１に示すように、突入部３１は、収容凹部２４の後部に内嵌可能とされている。また、押さえ部２７には、各キャビティ１３及び各シール孔２６に連通可能な複数の挿通孔３２が前後方向に貫通して設けられている。各挿通孔３２には、各電線１００が径方向に遊びをもって挿通される。
【００２７】
図１１に示すように、外筒部２８は、繋ぎ部２９との連結部位から前方に突出する基部３３と、基部３３の前端から前方に突出し、内面が段付き部３４を介して基部３３の内面よりも外側に位置する包囲部３５とからなる。図１に示すように、基部３３には、インナハウジング１１の後部が嵌合され、基部３３と突入部３１との間に、収容凹部２４の周壁部分が挟まるように配置される。
【００２８】
アウタハウジング１２の上部における基部３３と包囲部３５との間には、ロックアーム３６が設けられている。図１１に示すように、ロックアーム３６は、基部３３の上壁前端部から起立する脚部３７と、脚部３７の上端から前後両方向に延出するアーム部３８とを有している。アーム部３８は、脚部３７を略支点としてシーソ状に弾性変位可能（傾動変位可能）とされている。アーム部３８には、前後方向に延出して後端に開口するロック孔３９が設けられている。ロック孔３９の前端は、上下方向にほぼ沿って配置される。図２に示すように、インナハウジング１１の前部に相手ハウジング９０のフード部９１が外嵌され、相手ロック部９４がロック孔３９に挿入されてロック孔３９の前端に係止可能に配置されることにより、両ハウジング１０、９０が嵌合状態に保持される。
【００２９】
アーム部３８の前部（ロック孔３９の前端を含む）は、包囲部３５の前端よりも前方に露出して配置されている。また、アーム部３８の後部は、包囲部３５の後端よりも後方に露出して配置されている。アーム部３８の後部には、平板状の解除操作部４１が一段高い位置に設けられている。解除操作部４１の上面が押圧されることにより、ロックアーム３６と相手ロック部９４との係止状態を解除することが可能とされている。
【００３０】
続いて、フロントリテーナ６０について説明する。フロントリテーナ６０は合成樹脂製であって、キャップ状をなし、図１２〜図１４に示すように、上下方向にほぼ沿った前壁部６１と、前壁部６１の外周部から後方に突出する筒状の周壁部６２とを有している。このフロントリテーナ６０は、周壁部６２がインナハウジング１１の前部の外周側を取り囲んだ状態で、図１に示すように、前壁部６１がインナハウジング１１の前面よりも前方に離間して配置される仮係止位置から、図２に示すように、前壁部６１がインナハウジング１１の前面にほぼ当接して配置される本係止位置へと移動可能とされている。
【００３１】
前壁部６１には、各キャビティ１３に連通可能な複数の貫通孔６３が設けられている。図２に示すように、貫通孔６３の後部は、大径凹状をなし、後方から各端子金具５０の端子本体５１の前端部が嵌合可能とされている。各貫通孔６３の前部は、前方へ向けてテーパ状に拡開する形状をなし、前方から相手端子金具９２の雄タブ９３を誘い込み可能とされている。
【００３２】
図１３及び図１４に示すように、周壁部６２の両側壁６４の後端には、ガイド部６５が対をなして突出して設けられている。各ガイド部６５は、上下方向にほぼ沿った板片状に形成されている。
【００３３】
図１４に示すように、周壁部６２の下壁７１の後部には、前後方向に延出して後端に開口する左右一対のスリット６６が設けられている。周壁部６２の下壁７１におけるスリット６６間に配置された板片部６７は、前後方向途中（詳細には前後方向中央部）にヒンジ部６８を有し、ヒンジ部６８の後方にリテーナ部６９を有している。ヒンジ部６８は、左右方向に沿った略線状の可撓部分であって、曲面状に屈曲可能とされている。
【００３４】
リテーナ部６９は、ヒンジ部６８を介して、下壁７１の後部を開放する開状態（図１を参照）から下壁７１の後部をほぼ閉塞する閉状態（図２を参照）へと回動可能（傾動可能）とされている。図１３に示すように、このリテーナ部６９は、ヒンジ部６８に同幅で連続する平板部７２と、平板部７２の前後方向途中から突出する係止本体７３とを有している。平板部７２は、略矩形の平板状をなし、後端部（自由端部）の内面（閉状態でキャビティ１３側を向く面）が外向き斜面状に形成されている。
【００３５】
係止本体７３は、リテーナ部６９が閉状態に向かう方向で、且つ平板部７２の板面方向と略直角な方向に突出するとともに、平板部７２の左右方向の全幅にわたって延出する突条の形態になっている。リテーナ部６９が閉状態にあるときに、係止本体７３の後面は上下方向に沿って切り立つように配置される。
【００３６】
係止本体７３の両側面には、突出方向先端寄りの位置に一対のロック部７４を有している。各ロック部７４は、板片部６７の左右両側に張り出し、且つ、係止本体７３の両側面において平板部７２の板面方向と平行な方向に延出するリブ状の形態になっている。図３に示すように、リテーナ部６９が閉状態にあるときに、各ロック部７４の上面は下向きに傾斜し、各ロック部７４の下面は略水平に配置される。
【００３７】
周壁部６２の両側壁６４の後部内面には、図３に示すように、ロック受部７５が対をなして設けられている。各ロック受部７５は、前後方向に延出して後端に開口する溝状をなし、各ロック部７４と同一の断面形状を有している。また、両側壁６４の後部には、下端から各ロック部７４へ向けて逆テーパ状に形成する一対の斜面部７６が設けられている。各ロック部７４は、閉状態に向かう過程で斜面部７６を摺動し、閉状態にて各ロック受部７５に嵌合されて係止可能とされている。
【００３８】
図１及び図１２に示すように、周壁部６２の下壁７１の前部には、撓み規制部７７が設けられている。撓み規制部７７は、板片部６７（リテーナ部６９のうちの係止本体７３を除く部分）よりも厚肉であり、板片部６７の前端に段付き状に連設されている。撓み規制部７７の後面下部７８は、板片部６７へ向けて上傾する斜面状をなし、撓み規制部７７の後面上部７９は、上下方向に沿って板片部６７に略直交している。
【００３９】
図１に示すように、撓み規制部７７は、各貫通孔６３の後端下縁から後面上部７９にかけて下り勾配で直線状に傾斜する規制本体８１を有している。図１３に示すように、規制本体８１は、左右方向に関して各貫通孔６３にまたがる範囲に延出する幅広の傾斜面として構成される。また、撓み規制部７７は、規制本体８１の左右両側に、前後方向に角柱状に延出する一対の区画部８２を有している。各区画部８２は、各側壁６４に前後方向に沿って一体に連結されている。図１に示すように、前壁部６１の前面には、撓み規制部７７に及ぶ深さの凹所８３が凹設されている。凹所８３には、図示しない導通検査用の治具などが挿入されるようになっている。
【００４０】
次に、本実施例１のコネクタの作用効果を説明する。
組み付けに際し、インナハウジング１１の収容凹部２４の前部にシール部材２５が嵌入され、さらに、各キャビティ１３に後方から電線１００付きの端子金具５０が挿入される。端子本体５１のランス受部５４にランス１５の上部１６が弾性的に嵌合されて係止可能に配置されることにより、端子金具５０がキャビティ１３から後方に抜け出るのを規制された状態に保持される。また、押さえ部２７の突入部３１が収容凹部２４の後部に嵌入されるようにして、インナハウジング１１にアウタハウジング１２が外嵌される。インナハウジング１１の各固定受部２３にアウタハウジング１２の図示しない固定部が係止されることにより、アウタハウジング１２がインナハウジング１１に外嵌保持される。
【００４１】
また、図４〜図６に示すように、フロントリテーナ６０がインナハウジング１１に対し仮係止位置に保持される。図１に示すように、仮係止位置では、撓み規制部７７の規制本体８１が開口部１４（ランス１５の撓み空間）に進入し、ランス１５の下面が規制本体８１に沿うように配置される。さらに、仮係止位置では、リテーナ部６９が開状態でヒンジ部６８を介して前後方向と略直交する下側に垂下して配置される。
【００４２】
仮に、端子金具５０がキャビティ１３に正規挿入されていない状態（半挿入状態）で留め置かれると、ランス１５が端子本体５１に押圧されて開口部１４側に撓み変形したままの状態となる。このため、フロントリテーナ６０がインナハウジング１１に対し仮係止位置に装着される過程で、開状態のリテーナ部６９が撓み変形したランス１５に接触し、フロントリテーナ６０の装着動作が停止される。これにより、端子金具５０が半挿入状態にあることを早い段階で検知することができる。
【００４３】
続いて、フロントリテーナ６０が本係止位置に移動させられる。本係止位置へ向かう過程では、各ガイド部６５が対向するガイド受部２２に摺動可能に嵌入されてフロントリテーナ６０の移動が案内される。フロントリテーナ６０が本係止位置に到達すると、図２に示すように、規制本体８１がランス１５の下面に沿って当接し、ランス１５の撓み動作が規制される。そして、各区画部８２が、各ランス１５の上部１６の両側外方に配置される。また、端子本体５１の前端部が貫通孔６３の後部に嵌入されて位置決めされる。
【００４４】
次いで、リテーナ部６９がヒンジ部６８を介して閉状態へ向けて傾動させられる。図２に示すように、閉状態では、平板部７２が前後方向に沿って略水平に配置されるとともに、係止本体７３が上下方向に略垂直に切り立つように配置される。また、閉状態では、係止本体７３が、進入口１８を通して各キャビティ１３に挿入され、各端子本体５１のリテーナ受部５５に対向して当接可能（係止可能）に配置される。これにより、端子金具５０がキャビティ１３内に確実に抜け止めされる。
【００４５】
さらに、平板部７２の後端部（自由端部）が鍔部２１の開放部分を通してシールリング２０の前端に当接可能に配置される。これにより、シールリング２０が前方に抜け出るのが規制される。ここで、シールリング２０がシール溝１９から前方に位置ずれしていると、平板部７２の後端部の斜面部分が閉状態へ向かう過程でシールリング２０を押圧してシール溝１９側に押し戻すことが可能となっている。さらにまた、閉状態では、図３に示すように、係止本体７３の各ロック部７４が対応するロック受部７５に嵌合係止され、係止本体７３が閉状態に戻る方向に変位するのが規制される。その後、両ハウジング１０、９０が嵌合され、インナハウジング１１の前部及びフロントリテーナ６０がフード部９１内に挿入され、相手端子金具９２の雄タブ９３が貫通孔６３を通して端子金具５０の端子本体５１内に挿入接続される。
【００４６】
以上説明したように、本実施例１によれば、フロントリテーナ６０がランス１５の撓み動作を規制する撓み規制部７７を有するのに加え、リテーナ部６９を有しており、リテーナ部６９がヒンジ部６８を中心として開状態から閉状態へと傾動することによって係止本体７３が側方からリテーナ受部５５を係止し、端子金具５０を抜け止めするため、端子金具５０のキャビティ１３から後方への抜け出しを確実に防止することができる。
【００４７】
また、フロントリテーナ６０とは別にサイドリテーナなどの専用のリテーナ部材を設けなくて済むから、部品点数を削減することができる。しかも、フロントリテーナ６０にリテーナ部６９が設けられているため、ハウジング１０の構造が複雑になるのを防止することができる。特に本実施例１の場合、インナハウジング１１に、下面から各キャビティ１３にかけて貫通し、リテーナ部６９の係止本体７３の進入を許容する進入口１８が設けられ、且つ進入口１８の後方にインナハウジング１１と相手ハウジング９０との間に液密に挟まれるシールリング２０が嵌着される構造になっているため、インナハウジング１１にリテーナ部６９を一体に設けるだけのスペース的な余裕がないという事情があり、フロントリテーナ６０にリテーナ部６９を設けることのメリットが大きい。
【００４８】
また、リテーナ部６９が撓み規制部７７の位置する側と同じ側となる周壁部６２の下壁７１に設けられ、開状態でフロントリテーナ６０が装着されたときに、撓み変形したランス１５にリテーナ部６９が対向して配置されるため、撓み規制部７７に先立って、開状態のリテーナ部６９が撓み変形したランス１５と軽く干渉することができる。その結果、ランス１５が撓み変形した状態にあることを早い段階で良好に検知することができる。
【００４９】
さらに、撓み規制部７７がヒンジ部６８をよりも厚肉に形成されているため、撓み規制部７７が自身の強度を確保することができるのに加え、ヒンジ部６８の撓み強度を補強することができる。
【００５０】
さらに、リテーナ部６９が係止本体７３の両側面に突出する形態のロック部７４を有し、閉状態でロック部７４がフロントリテーナ６０の両側壁６４に設けられたロック受部７５を係止するため、リテーナ部６９が閉状態を安定に維持することができる。
【００５１】
さらにまた、インナハウジング１１には嵌合相手である相手ハウジング９０との間に液密に挟まれるシールリング２０が嵌着され、リテーナ部６９が閉状態でシールリング２０の前端に当接可能に配置されるため、シールリング２０の前方への抜け出しがリテーナ部６９によって確実に抑えられる。
【００５２】
＜他の実施例＞
本発明の他の実施例を簡単に説明する。
（１）端子金具は、筒状の端子本体から前方に雄タブが突出する雄型端子であってもよい。この場合、ハウジングは、雄タブが突出して配置されるフード部を有する形態になっているとよい。
（２）端子本体は、円筒状に形成されていてもよい。
（３）リテーナ部は、閉状態で係止本体がキャビティ内に進入して端子金具のリテーナ受部に係止可能となればよく、進入口の開口全体を塞ぐことを閉状態の要件とするものではない。
（４）撓み規制部は、各端子金具のリテーナ受部と対応する位置に個別に設けられるものであってもよい。
【符号の説明】
【００５３】
１０…ハウジング
１１…インナハウジング
１２…アウタハウジング
１３…キャビティ
１５…ランス
１８…進入口
２０…シールリング
５０…端子金具
５１…端子本体
５４…ランス受部
５５…リテーナ受部
６０…フロントリテーナ
６４…側壁
６８…ヒンジ部
６９…リテーナ部
７４…ロック部
７７…撓み規制部
９０…相手ハウジング
【図１】
2018190625.tif 000003
【図２】
2018190625.tif 000004
【図３】
2018190625.tif 000005
【図４】
2018190625.tif 000006
【図５】
2018190625.tif 000007
【図６】
2018190625.tif 000008
【図７】
2018190625.tif 000009
【図８】
2018190625.tif 000010
【図９】
2018190625.tif 000011
【図１０】
2018190625.tif 000012
【図１１】
2018190625.tif 000013
【図１２】
2018190625.tif 000014
【図１３】
2018190625.tif 000015
【図１４】
2018190625.tif 000016